(57)【要約】【課題】太陽光に曝されても床面があまり熱くならず、雨天時においても床下空間を有効利用可能で、昼間においては照明がなくても床下が明るく、しかも、床下から床上の状態が視認しにくい床構造を提供することを目的としている。【解決手段】根太上に床材を敷設することによって、床下に通気空間を形成するように建物の外壁から外側に張り出して設けられる床構造において、床面に床上方と前記通気空間とを連通させる通気孔が間欠的に設けられるとともに、床の通気孔非形成部が半透明になっていることを特徴としている。【選択図】      図４
2010281029.tif 000002
【特許請求の範囲】
【請求項１】
根太上に床材を敷設することによって、床下に通気空間を形成するように建物の外壁から外側に張り出して設けられる床構造において、
床面に床上方と前記通気空間とを連通させる通気孔が間欠的に設けられるとともに、床の通気孔非形成部が半透明になっていることを特徴とする床構造。
【請求項２】
通気を阻害しない位置で通気孔部分を下方から受ける樋を備えている請求項１に記載の床構造。
【請求項３】
通気孔非形成の床材と、通気孔が形成された床材とを敷き並べて床面が形成されている請求項１または請求項２に記載の床構造。
【請求項４】
樋が半透明である請求項１〜請求項３のいずれかに記載の床構造。
【発明の詳細な説明】
【技術分野】
【０００１】
本発明は、ベランダやテラスなどの建物の外壁から突出するように設けられる床構造に関する。
【背景技術】
【０００２】
従来から、家屋の外壁面から側方に突き出た形態に形成されるバルコニー、ベランダ、テラス等の床構造としては、デッキ材と称される押出成形によって得られる合成樹脂製の床材が根太等の下地に下側から受けられた状態で隙間無く並べられたもの（特許文献１参照）や、上記デッキ材に代えて、床材としてエキスパンドメタルやグレーチングを用いたものがある。
しかし、上記従来の床構造においては、それぞれ以下のような長所と短所がある。
【０００３】
すなわち、前者の床構造では、雨や埃を通さないことで、床下空間を有効利用できる利点があるが、太陽光などで床材の中空部にこもった熱が逃げずに床材の天板温度が上昇する。特に、床の周りの壁が設けられたものについては、放熱しにくいため、より天板温度の上昇が激しい。このため、デッキ材が変形したり、不意の歩行により床上に載った人が足の裏に火傷などを引き起こすおそれがある。また、床材を使用している居室側の温度が輻射熱で上昇し、年間を通しクーラーを使用する期間が長くなり、自然環境にも悪影響を与えることになる。
一方、後者の床構造においては、床材としてエキスパンドメタルやグレーチングを用いているので、床下に太陽光を採光できて、昼間においては照明がなくても床下が明るいとともに、床の上下に自然の風が通るため、床の周囲に壁があっても、床の上下とも心地よいスペースとなるという利点があるものの、雨天時は、雨が床材越しに床下空間に降り注ぎ、床下空間の有効利用が出来ない上、床の下側から床の上に居る人が床材越しに見えてしまいプライバシー保護の観点から問題がある。床の上側から床材越しに床下空間にごみなどが落ちるという問題もある。
【先行技術文献】
【特許文献】
【０００４】
【特許文献１】特開２０００−３３６９０５号公報
【発明の概要】
【発明が解決しようとする課題】
【０００５】
本発明は、上記事情に鑑みて、太陽光に曝されても床面があまり熱くならず、雨天時においても床下空間を有効利用可能で、昼間においては照明がなくても床下が明るく、しかも、床下から床上の状態が視認しにくい床構造を提供することを目的としている。
【課題を解決するための手段】
【０００６】
上記目的を達成するために、本発明にかかる床構造は、根太上に床材を敷設することによって、床下に通気空間を形成するように建物の外壁から外側に張り出して設けられる床構造において、床面に床上方と前記通気空間とを連通する通気孔が間欠的に設けられるとともに、床の通気孔非形成部が半透明になっていることを特徴としている。
【０００７】
本発明において、床構造としては、床面を、通気孔非形成の床材と、通気孔が形成された床材と組み合わせて形成してもよいし、通気孔が形成された部分と通気孔非形成部分が一体になった床材を成形し、この床材を敷き並べて形成するようにしても構わない。
床材の材質としては、特に限定されないが、通気孔非形成部は、半透明材料で形成されていることが好ましい。
【０００８】
本発明において、半透明とは、太陽光等の光はある程度透過するが、床材越しに反対側にあるものはその形状がはっきり視認できないことを意味する。
床材を半透明にする方法としては、特に限定されないが、透明な合成樹脂に顔料を加えて成形する方法、透明材料の表面をすりガラス調に粗面化する方法ものが挙げられる。
また、床材は、合成樹脂で形成する場合、耐候性を考慮すると、ベース樹脂と表層樹脂からなる2層成形品とすることが好ましい。
【０００９】
上記ベース樹脂としては、例えば、塩化ビニル樹脂（ＰＶＣ）、ポリプロピレン（ＰＰ）、ポリエチレン（ＰＥ）、アクリロニトリル−ブタジエン−スチレン共重合体（ＡＢＳ）、アクリロニトリル−スチレン−アクリロニトリル共重合体（ＡＳＡ）、アクリロニトリル ／エチレン−プロピレン−ジエン／スチレン共重合体（ＡＥＳ）等が挙げられる。
一方、表層樹脂としては、、高耐候性を得られることからアクリロニトリル−スチレン−アクリロニトリル共重合体あるいはアクリロニトリル ／エチレン−プロピレン−ジエン／ スチレン共重合体が好ましい。
なお、上記２層成形品の製造方法としては特に限定されないが、例えば、単一樹脂組成物からなるベース樹脂と、表面層とを共押出成形する方法が挙げられる。
【００１０】
通気孔が形成された床材の材質としては、特に限定されないが、合成樹脂、金属材料が挙げられる。
通気孔が形成された床材に用いられる合成樹脂としては、特に限定されないが、例えば、塩化ビニル樹脂（ＰＶＣ）、ポリプロピレン（ＰＰ）、ポリエチレン（ＰＥ）、アクリロニトリル−ブタジエン−スチレン共重合体（ＡＢＳ）、アクリロニトリル−スチレン−アクリロニトリル共重合体（ＡＳＡ）、アクリロニトリル ／エチレン−プロピレン−ジエン／スチレン共重合体（ＡＥＳ）等が挙げられる。また、繊維強化樹脂でも構わない。
【００１１】
通気孔が形成された床材に用いられる金属材料としては、特に限定されないが、例えば、
アルミニウム、鉄、鉄にめっき処理したもの等が挙げられ、市販のグレーチング、エキスパンドメタル、パンチングメタルを用いても構わない。
樋は、特に限定されないが、床材と同様に半透明になっていることが好ましい。
【００１２】
また、合成樹脂製の樋の場合、特に限定されないが、耐候性を考慮すると、ベース樹脂と表層樹脂からなる2層成形品とすることが好ましい。
上記ベース樹脂としては、例えば、塩化ビニル樹脂（ＰＶＣ）、ポリプロピレン（ＰＰ）、ポリエチレン（ＰＥ）、アクリロニトリル−ブタジエン−スチレン共重合体（ＡＢＳ）、アクリロニトリル−スチレン−アクリロニトリル共重合体（ＡＳＡ）、アクリロニトリル ／エチレン−プロピレン−ジエン／スチレン共重合体（ＡＥＳ）等が挙げられる。
一方、表層樹脂としては、、高耐候性を得られることからアクリロニトリル−スチレン−アクリロニトリル共重合体あるいはアクリロニトリル ／エチレン−プロピレン−ジエン／ スチレン共重合体が好ましい。
【００１３】
通気孔の形状及び大きさは、特に限定されないが、床に載った人の指等の足の一部が入り込まない形状及び大きさにする必要があり、幼児が使用することを考慮すれば、３〜５ｍｍの幅とすることが好ましい。
床の通気孔形成部が占める割合は、特に限定されないが、通気孔の総面積が全床面積の２０〜３０％とすることが好ましい。
通気孔形成部を設けるピッチは、特に限定されないがい、３００〜４００ｍｍピッチで設けることが好ましい。
【発明の効果】
【００１４】
本発明にかかる床構造は、以上のように、下地上に床材を敷設することによって、床下に通気空間を形成するように建物の外壁から外側に張り出して設けられる床構造において、
床面に床上方と前記通気空間とを連通する通気孔が間欠的に設けられるとともに、床の通気孔非形成部が半透明になっている。
【００１５】
したがって、通気孔を介して風が床下から床上、あるいは、床上から床下へと通り、太陽光に曝されても床面の温度があまり熱くならず、床上及び床下を快適なものとすることができる。
また、床の通気孔非形成部が半透明になっているので、通気孔非形成部を介して太陽光が床上から床下に透過するため、昼間においては照明がなくても床下が明るい。
そして、通気孔が間欠的に設けられているので、通気孔以外の部分においては、雨天時においても床下に雨水が入り込まず、床下を有効利用できる。
【００１６】
特に、通気孔を受けるように樋を設ければ、より床下を有効利用できることとなるとともに、樋が床下から通気孔を視認できなくなり、より確実に床上の状態が床下から視認できなくなる。
そして、樋も半透明にすれば、樋が通気孔から床下へ差し込んだ太陽光が樋を通して床下に入り込み、床下をより明るくすることができる。
【図面の簡単な説明】
【００１７】
【図１】本発明にかかる床構造の第１の実施の形態の平面図である。
【図２】図１の床構造の底面図である。
【図３】図１の床構造の側面図である。
【図４】図３のＸ−Ｘ線断面図である。
【図５】図１の床構造に用いるデッキ材の斜視図である。
【図６】図１の床構造に用いるグレーチングの平面図である。
【図７】図６のＹ−Ｙ線断面図である。
【図８】図１の床構造に用いる根太の斜視図である。
【図９】本発明にかかる床構造の第２の実施の形態の側面図である。
【図１０】図９のＺ−Ｚ線断面図である。
【図１１】図９の床構造に用いるデッキ材の斜視図である。
【図１２】図９の床構造に用いるグレーチングの平面図である。
【図１３】図１１のＶ−Ｖ線断面図である。
【発明を実施するための形態】
【００１８】
以下に、本発明を、その実施の形態をあらわす図面を参照しつつ詳しく説明する。
図１〜図４は、本発明にかかる床構造の第１の実施の形態をあらわしている。
【００１９】
図１〜図４に示すように、この床Ａは、通気孔非形成の床材としての４枚の合成樹脂製のデッキ材１ａと、通気孔が形成された床材としての１２枚の金属製のグレーチング２と、３本の樋３と、下地となる幅の狭い２本の根太４ａと幅の太い３本の根太４ｂとを備えている。
デッキ材１ａは、図５に示すように、半透明樹脂材料を押出成形することによって得られ、天板１１と底板１２とリブ１３と側板１４と固定フランジ部１５とを備えていて、中空になっている。
【００２０】
グレーチング２は、図６及び図７に示すように、長手方向の寸法が、デッキ材１ａの長手方向の１／４となっていて、通気孔となる６本の幅が３〜５ｍｍのスリット２１を備えるとともに、後述するように、デッキ材１ａの固定フランジ部１５に受けられる脚部２２を有し、この脚部２２から下方に延出する係止リブ２３とを備えている。
【００２１】
樋３は、半透明樹脂材料を押出成形することによって得られ、図２〜図４に示すように、その上端側か幅広になった断面逆台形状をしている。
また、樋３の上端の幅は、グレーチング２のスリット形成部の幅より少し大きくなっている。
【００２２】
根太４ａ，４ｂは、図２及び図３に示すように、根太４ａがデッキ材１ａの長手方向の両端部を下方から受け、根太４ｂがデッキ材１ａの長手方向の中間部を等間隔で受けるようになっている。
また、根太４ａ，４ｂは、図４及び図８に示すように、４つのデッキ材受部４１と、３つの樋受部４２とを交互に備えている。
【００２３】
樋受部４２は、側面視略凵形をしていて、デッキ材受部４１より下方にぶら下がるように設けられている。
隣接するデッキ材受部４１とデッキ受部４１とは、その端部４３が樋受部４２側にそれぞれ張り出し、端部４３，４３間にグレーチング２の係止リブ２３が嵌り込むようになっている。
【００２４】
そして、この床Ａは、以下のようにして施工することができる。
まず、下方に通気空間を形成できる高さ位置に、根太４ａ，４ｂを建物の外壁（図示せず）に対して直交するように施工する。
そして、根太４ａ，４ｂの樋受部４２に樋３を受けさせて、図示していない樋固定金具等によって根太４ａ，４ｂに固定するとともに、各デッキ材受部４１にデッキ材１ａを載せ、両側の固定フランジ部１５を釘やビズによってそれぞれデッキ材受部４１に固定する。
なお、樋３には、図示していないが、縦樋が連結され、縦樋を介して雨水経路に接続される。
そののち、係止リブ２３をデッキ材受部４１の端部４３間に臨ませると共に、脚部２２を両側のデッキ材１ａの固定フランジ部１５に受けさせて４枚のグレーチング２によってデッキ材１ａとデッキ材１ａとの隙間を塞ぐ。
【００２５】
すなわち、このグレーチング２の取り付けによって、６本のスリット２１を樋３が下方から臨むとともに、デッキ材１ａの上面とグレーチング２の上面とが隙間無くかつ面一な状態になる。また、樋３の上端とグレーチング２と通気空間を形成するように非接触状態となる。
【００２６】
この床Ａは、上記のようになっており、床上と床下とがグレーチング２のスリット２１を介して連通しているので、図４に矢印で示すように、風が床下から床上、あるいは、床上から床下に通り、床面が太陽光で熱されても熱が容易に放熱され、床上、床下を快適なものとすることができる。したがって、年間を通しクーラーを使用する期間を短くすることができ、省エネ効果が期待できる。
また、デッキ材１ａ部分は勿論のこと、グレーチング２のスリット２１下方が樋３によって受けられているので、雨天においても床下に雨水が入り込まず、床下を有効利用できる。
【００２７】
さらに、デッキ材１ａ及び樋３が半透明であるので、床上からデッキ材１ａを通して床下に太陽光が透過するとともに、スリット２１を介して入り込んだ太陽光が樋３を介して床下に透過するので、昼間は照明がなくとも床下を明るくすることができるとともに、床下から床上の状況がはっきりと視認できずプライバシーの保護にも優れている。
また、根太４の樋受部４２をデッキ材受部４１から下方にぶら下がるように設けているので、断面積の大きな樋３を用いることでき、大雨のときにも樋３から雨水があふれ出ることがない。
しかも、グレーチング２が係止リブ２３を備え、この係止リブ２３がデッキ材受部４１の端部４３間に臨むようになっているので、グレーチング２がずれにくいとともに、雨水を確実に樋３内に導くことができる。
【００２８】
図９及び図１０は、本発明にかかる床構造の第２の実施の形態をあらわしている。
図９及び図１０に示すように、この床Ｂは、以下に述べる構成以外は、上記床Ａと同様になっている。
【００２９】
すなわち、この床Ｂは、デッキ材１ｂの長手方向の両端部を受ける幅の狭い２本の根太５ａと、デッキ材１の長手方向の中間部を受ける幅の太い３本の根太５ｂとがそれぞれ高さ方向の寸法が同じである角筒状をしている。
また、デッキ材１ｂは、その幅方向の両端で天板１１より、グレーチング７の厚みと同じ高さだけ段状に低くなったグレーチング受部１６を備えている。
そして、樋６が金属材料製で断面凵形をしていて、図１２及び図１３に示す、平板状をした４本のスリット７１を備えたグレーチング７が、スリット７１部分が樋６の上部開口を臨むように配置されるとともに、図１０に示すように、デッキ材１ｂのグレーチング受部１６によってグレーチング７の幅方向の両端が下方から受けられている。
【００３０】
この床Ｂは、グレーチング７が平板状をしているとともに、根太５ａ，５ｂが角筒状をしていて、上記床Ａの根太４ａ，４ｂの樋受部４２のように下方に突出した部分がないので、樋６の容量をあまり大きくできないが、床全体の厚みを薄くすることができ床下空間を広くすることができる。
【００３１】
本発明は、上記の実施の形態に限定されない。例えば、上記の実施の形態では、通気孔が平行に並ぶスリットとなっていたが、スリットの代わりに多数の丸孔を穿設するようにしてもよい。
上記の実施の形態では、幅方向の両側にデッキ材が配置されていたが、すなわち、通気孔が幅方向の端部に設けられていないが、安全性などに問題がなければ、グレーチングなどの通気孔を備えた床材を幅方向の端部に配置しても構わない。
上記の実施の形態では、デッキ材が底板を備えていたが、強度的に問題が無ければ、底板は無くても構わない。
【符号の説明】
【００３２】
Ａ，Ｂ  床
１ａ，１ｂ  デッキ材（通気孔非形成の床材
２，７  グレーチング（通気孔が形成された床材）
２１．７１  スリット（通気孔）
３，６  樋
４ａ，４ｂ，５ａ，５ｂ  根太（下地）
【図１】
2010281029.tif 000003
【図２】
2010281029.tif 000004
【図３】
2010281029.tif 000005
【図４】
2010281029.tif 000006
【図５】
2010281029.tif 000007
【図６】
2010281029.tif 000008
【図７】
2010281029.tif 000009
【図８】
2010281029.tif 000010
【図９】
2010281029.tif 000011
【図１０】
2010281029.tif 000012
【図１１】
2010281029.tif 000013
【図１２】
2010281029.tif 000014
【図１３】
2010281029.tif 000015